(57)【要約】【課題】バスト部における肌触りの良さ、及びカップ部の安定性とカップ部による着用者のバストの保持機能との両立を実現できるカップ部付き上半身衣類を提供する。【解決手段】カップ部付き上半身衣類１は、胸部１１及び当該胸部１１の背面側に位置する背部上部１２を含むバスト部２を備えている。バスト部２は、二重の伸縮性生地４１によって構成されている。カップ部２１は、バスト部２において二重の伸縮性生地４１の間に配置され、カップ部２１の前中心側が、二重の伸縮性生地４１における肌側の方の生地４１ａに対して結合されている。【選択図】図３
2017186717.tif 000002
【特許請求の範囲】
【請求項１】
カップ部を有するカップ部付き上半身衣類であって、
胸部及び当該胸部の背面側に位置する背部上部を含むバスト部を備え、
前記バスト部は、二重の伸縮性生地によって構成され、
前記カップ部は、前記バスト部において前記二重の伸縮性生地の間に配置され、
前記カップ部の前中心側が、前記二重の伸縮性生地における肌側の方の生地に対して結合されているカップ部付き上半身衣類。
【請求項２】
前記胸部及び前記背部上部に繋がるように前記バスト部の下側に設けられた胴部を更に備え、
前記胴部は、一重の伸縮性生地によって構成されている請求項１記載のカップ部付き上半身衣類。
【請求項３】
前記二重の伸縮性生地と前記一重の伸縮性生地との境界ラインは、衣類の横方向に沿って一直線状をなしており、
前記二重の伸縮性生地内において、前記カップ部の下縁部の少なくとも一部は、前記境界ラインに沿った一直線状をなしている請求項２記載のカップ部付き上半身衣類。
【請求項４】
前記バスト部の上側には、前記二重の伸縮性生地によって構成された左右一対の肩ストラップ部が設けられており、
前記カップ部は、前記二重の伸縮性生地における外側の方の生地に対して非結合となっている請求項１〜３のいずれか一項記載のカップ部付き上半身衣類。
【請求項５】
前記カップ部の下縁側及び脇縁側の少なくとも一部が、前記二重の伸縮性生地における前記肌側の方の生地に対して更に結合されている請求項１〜４のいずれか一項記載のカップ部付き上半身衣類。
【発明の詳細な説明】
【技術分野】
【０００１】
本発明は、カップ部付き上半身衣類に関する。
【背景技術】
【０００２】
従来のカップ部付き上半身衣類として、例えば特許文献１に記載のカップ付き女性用衣類がある。この従来のカップ付き女性用衣類は、バストの整形機能を有するものであり、カップ部の表布と裏布との間に介在するホルダと、裏布の肌側に設けられた乳房押上部材とを有している。このカップ付き女性用衣類では、乳房押上部材の配置により、着用者のバストのボリュームが前中心側の上方に寄せられるようになっている。
【０００３】
また、特許文献２に記載のブラジャーの製造方法では、上端縁を袋編みにした前面カップ部及び裏面カップ部と、前面カップ部及び裏面カップ部の下方側に袋編みによって形成したアンダーバスト部とを備えたブラジャーが記載されている。このブラジャーは、前面カップ部とアンダーバスト部との境界から縫着線を無くすことで、着用者に下着としての感覚を感じさせないようにしている。
【先行技術文献】
【特許文献】
【０００４】
【特許文献１】特開２００８−１０１２８４号公報
【特許文献２】特開平５−２４７７０２号公報
【発明の概要】
【発明が解決しようとする課題】
【０００５】
従来のカップ部付き上半身衣類では、カップ部が生地の肌側に取り付けられているため、カップ部の形状の凹凸によってバスト部の肌触りの良さを確保しにくいという課題があった。このような課題に対し、バスト部において生地を袋状に形成し、袋状の生地の内部にカップ部を配置することが考えられる。しかしながら、このような構成を実現するにあたっては、袋状の生地の内部でのカップ部の安定性とカップ部による着用者のバストの保持機能とを両立させる必要がある。
【０００６】
本発明は、上記課題の解決のためになされたものであり、バスト部における肌触りの良さ、及びカップ部の安定性とカップ部による着用者のバストの保持機能との両立を実現できるカップ部付き上半身衣類を提供することを目的とする。
【課題を解決するための手段】
【０００７】
本発明の一側面に係るカップ部付き上半身衣類は、カップ部を有するカップ部付き上半身衣類であって、胸部及び当該胸部の背面側に位置する背部上部を含むバスト部とを備え、バスト部は、二重の伸縮性生地によって構成され、カップ部は、バスト部において二重の伸縮性生地の間に配置され、カップ部の前中心側が、二重の伸縮性生地における肌側の方の生地に対して結合されている。
【０００８】
このカップ部付き上半身衣類では、バスト部が二重の伸縮性生地によって構成され、カップ部は、二重の伸縮性生地の間に配置されている。したがって、着用者の肌には、二重の伸縮性生地における肌側の方の生地を介してカップ部が宛がわれるので、カップ部の形状の凹凸が緩和され、バスト部の肌触りの良さが高められる。また、カップ部付き上半身衣類では、このカップ部の前中心側が二重の伸縮性生地における肌側の方の生地に対して結合されている。動きの比較的少ない前中心側でカップ部を肌側の方の生地に対して結合することで、締め付けを強めることなく二重の伸縮性生地の内部におけるカップ部の安定性が高められる。また、相対的に伸縮パワーが高く且つ伸度が低い二重の伸縮性生地が背部上部をも構成しているので、着用時に背部上部からの引っ張り力が胸部に作用し、カップ部による着用者のバストの保持機能も十分に確保できる。
【０００９】
また、胸部及び背部上部に繋がるようにバスト部の下側に設けられた胴部を更に備え、胴部は、一重の伸縮性生地によって構成されていてもよい。この構成によれば、相対的に伸縮パワーが低く且つ伸度が高い一重の伸縮性生地で胴部が構成されるので、着用者の胴回りの動き易さを確保できる。
【００１０】
また、二重の伸縮性生地と一重の伸縮性生地との境界ラインは、衣類の横方向に沿って一直線状をなしており、二重の伸縮性生地内において、カップ部の下縁部の少なくとも一部は、境界ラインに沿った一直線状をなしていてもよい。二重の伸縮性生地と一重の伸縮性生地との境界ラインにカップ部の下縁部の直線部分を沿わせることで、カップ部の安定性の更なる向上が図られる。
【００１１】
また、バスト部の上側には、二重の伸縮性生地によって構成された左右一対の肩ストラップ部が設けられており、カップ部は、二重の伸縮性生地における外側の方の生地に対して非結合となっていてもよい。この場合、二重の伸縮性生地においてカップ部に対して非結合となっている外側の方の生地が、着用時に肩ストラップ部からの引っ張り力を受けてカップ部を支えるように作用する。したがって、カップ部による着用者のバストの保持機能を一層十分に確保できる。
【００１２】
また、カップ部の下縁側及び脇縁側の少なくとも一部が、二重の伸縮性生地における肌側の方の生地に対して更に結合されていてもよい。この場合、二重の伸縮性生地の内部におけるカップ部の安定性が一層高められる。
【発明の効果】
【００１３】
本発明によれば、バスト部における肌触りの良さ、及びカップ部の安定性とカップ部による着用者のバストの保持機能との両立を実現できる。
【図面の簡単な説明】
【００１４】
【図１】カップ部付き上半身衣類の正面図である。
【図２】カップ部付き上半身衣類の背面図である。
【図３】カップ部付き上半身衣類を裏返して示す正面図である。
【図４】（ａ）〜（ｃ）は、カップ部付き上半身衣類の縫製工程を示す概略断面図である。
【発明を実施するための形態】
【００１５】
以下、図面を参照しながら、本発明の一側面に係るカップ部付き上半身衣類の好適な実施形態について詳細に説明する。なお、以下の説明では、便宜上、カップ部付き上半身衣類の着用状態を想定して「上」「下」等の用語を使用する。
【００１６】
図１は、カップ部付き上半身衣類の正面図である。また、図２は、その背面図である。図１及び図２に示すカップ部付き上半身衣類１は、例えばカップ付きキャミソールとして構成されている。カップ部付き上半身衣類１は、バスト部２と、胴部３と、左右一対の肩ストラップ部４，４とを備えている。
【００１７】
バスト部２は、着用者の胸部に宛がわれる胸部１１と、着用者の背部上部に宛がわれる背部上部１２と、を含んで構成されている。衣類正面側の胸部１１と、衣類背面側の背部上部１２とは、衣類両脇側で連続し、着用者の胸周りを包囲するように筒状をなしている。
【００１８】
衣類正面側におけるバスト部２の上縁部２ａ（図１参照）、及び衣類背面側におけるバスト部２の上縁部２ｂ（図２参照）は、カップ部付き上半身衣類１の首刳りに相当し、いずれも下方に向かって緩やかな凹状をなしている。また、バスト部２の左右の脇側上部２ｃ，２ｃは、カップ部付き上半身衣類１の袖刳りに相当し、いずれも中心側に向かって緩やかな凹状をなしている。
【００１９】
バスト部２には、着用者のバストを保持するカップ部２１が内蔵されている。カップ部２１は、図１に示すように、左右一対のカップ２２，２２と、カップ２２，２２の下縁側を支持する土台部２３とによって構成されている。カップ２２，２２と土台部２３とは、例えばウレタンなどの弾性材料を用いたモールド成型により一体に形成されている。
【００２０】
カップ２２は、全体として着用者のバスト形状に対応する椀形状をなしている。カップ２２の上縁部２２ａは、着用者のバスト上部の形状に沿うように、中心側に向かって上方に緩やかな凸状をなしている。また、カップ２２の下縁部２２ｂは、着用者のバストのバージスラインに沿うように、下方に向かって緩やかな凸状をなしている。カップ２２の脇縁部２２ｃは、着用者の腕の動きを阻害しないように、バスト部２の脇側上部２ｃと略同一の曲率で中心側に向かって緩やかな凹状をなしている。
【００２１】
土台部２３の上縁部２３ａは、左右のカップ２２，２２の下縁部２２ｂに沿うように凹状に湾曲している。土台部２３の下縁部２３ｂは、カップ部２１の下縁部２１ａを構成している。土台部２３の下縁部２３ｂは、左右のカップ２２，２２の下方に位置し、左右の脇側ではカップ２２の下縁部２２ｂの形状に沿って緩やかに凸状に湾曲し、前中心位置では上方に向かって緩やかに凸状に湾曲している。また、土台部２３の下縁部２３ｂは、脇側と前中心側との間では横方向（水平方向）に一直線状に形成されている。
【００２２】
土台部２３の左右の脇縁部２３ｃ，２３ｃは、土台部２３の下縁部２３ｂにおける一直線状の部分に対して略直角に形成され、バスト部２の左右の脇側下部２ｄ，２ｄに沿って直線状に形成されている。また、土台部２３の前中心部２３ｅは、カップ部付き上半身衣類１の前中心に沿って、カップ２２，２２間に張り出している。
【００２３】
胴部３は、胸部１１及び背部上部１２に繋がるようにバスト部２の下側に設けられている。胴部３は、着用者の胸部下部から腹部にかけて宛がわれる腹部３１と、着用者の背部下部から腰部にかけて宛がわれる腰部３２とを含んで構成されている。衣類正面側の胸部１１と、衣類背面側の背部上部１２とは、衣類両脇側で連続し、着用者の胴周りを包囲するように筒状をなしている。
【００２４】
肩ストラップ部４は、胸部１１の上脇部分と背部上部１２の上脇部分とを繋ぐように帯状に設けられている。肩ストラップ部４は、着用者の両肩にそれぞれ正面から背面にかけて掛け渡され、カップ部付き上半身衣類１の装着をサポートする。
【００２５】
次に、上述したバスト部２及び胴部３の生地構成について説明する。
【００２６】
カップ部付き上半身衣類１では、バスト部２は、二重の伸縮性生地４１によって構成され、胴部３は、一重の伸縮性生地４２によって構成されている。すなわち、カップ部付き上半身衣類１では、胸部１１及び背部上部１２がいずれも二重の伸縮性生地４１によって構成され、腹部３１及び腰部３２がいずれも一重の伸縮性生地４２によって構成されている。
【００２７】
本実施形態では、二重の伸縮性生地４１及び一重の伸縮性生地４２は、同一の生地となっている。一重の伸縮性生地４２及び二重の伸縮性生地４１に用いる生地としては、例えば、緯編機によって編成される天竺、フライス等の横編地、丸編地、経編機によって編成されるトリコット等の経編地が挙げられる。
【００２８】
二重の伸縮性生地４１は、衣類正面側から衣類背面側にかけて連続する袋状となっている。本実施形態では、バスト部２だけでなく、肩ストラップ部４も二重の伸縮性生地４１によって構成されている。バスト部２及び肩ストラップ部４は、例えば袋状の二重の伸縮性生地４１の上部を裁断することによって形成される。
【００２９】
肩ストラップ部４の幅方向の一端部４ａでは、バスト部２の上縁部２ａ及び上縁部２ｂ（首刳り）と一体にテープ始末（パイピング）を施すことにより、二重の伸縮性生地４１の衣類正面側と衣類背面側とが結合されている。また、肩ストラップ部４における幅方向の他端部４ｂでは、バスト部２の脇側上部２ｃ（袖刳り）と一体にテープ始末（パイピング）を施すことにより、二重の伸縮性生地４１における肌側の方の生地４１ａと外側の方の生地４１ｂとが結合されている。二重の伸縮性生地４１における肌側の方の生地４１ａ及び外側の方の生地４１ｂ（図４参照）は、これらのテープ始末が施された部位と、二重の伸縮性生地４１と一重の伸縮性生地４２との境界ラインＬが延在する部位とを除いて互いにフリーな状態となっている。
【００３０】
カップ部付き上半身衣類１では、図１及び図２に示すように、一重の伸縮性生地４２及び二重の伸縮性生地４１の境界ラインＬは、衣類正面側及び衣類背面側のいずれにおいても、衣類の横方向（水平方向）に一直線状となっている。境界ラインＬの上下方向の位置は、カップ部２１（土台部２３）の形状にもよるが、着用時において、着用者のバージスライン（胸と体の境界線、すなわちバストの輪郭）の最下点よりやや下方の位置となる。
【００３１】
上述したカップ部２１は、図１に示すように、衣類正面側において、二重の伸縮性生地４１における肌側の方の生地４１ａと外側の方の生地４１ｂとの間に配置されている。二重の伸縮性生地４１内において、カップ部２１の下縁部２１ａにおける一直線状の部分は、一直線状をなす境界ラインＬに沿って配置されている。また、二重の伸縮性生地４１内において、カップ２２の脇縁部２２ｃは、バスト部２の脇側上部２ｃに沿って配置され、土台部２３の脇縁部２３ｃは、バスト部２の脇側下部２ｄに沿って配置されている。
【００３２】
図３は、カップ部付き上半身衣類を裏返して示す正面図である。同図に示すように、二重の伸縮性生地４１に対するカップ部２１の結合にあたって、カップ部２１は、二重の伸縮性生地４１における肌側の方の生地４１ａのみに対して結合されている。より具体的には、カップ部２１は、前中心側の縫着部Ｗ１と、脇側の縫着部Ｗ２とによって肌側の方の生地４１ａのみに結合されている。これらの縫着部Ｗ１，Ｗ２は、衣類正面側からは視認されないようになっている（図１参照）。
【００３３】
縫着部Ｗ１は、カップ部２１の前中心側を肌側の方の生地４１ａに縫着する部分である。縫着部Ｗ１は、土台部２３の前中心部２３ｅの中心に沿って縦方向（上下方向）に延びている。また、縫着部Ｗ２は、カップ部２１の下縁側及び脇縁側の少なくとも一部を肌側の方の生地４１ａに縫着する部分である。縫着部Ｗ２は、カップ２２の最下点の真下となる位置と土台部２３の脇縁部２３ｃとを結ぶように、カップ部２１の下縁部２１ａに沿って緩やかに湾曲して延びている。
【００３４】
このようなカップ部付き上半身衣類１を製造する場合、例えば図４（ａ）に示すように、まず、境界ラインＬが一直線状となるように一重の伸縮性生地４２と袋状の二重の伸縮性生地４１とを連続して編成する。次に、図４（ｂ）に示すように、首刳り及び袖刳りの形状に合わせて袋状の二重の伸縮性生地４１の上部を裁断し、裁断によって形成された開口から二重の伸縮性生地４１内にカップ部２１を配置する。
【００３５】
二重の伸縮性生地４１内にカップ部２１を配置した後、図４（ｃ）に示すように、図３に示した縫着部Ｗ１，Ｗ２（図４（ｃ）ではＷで示す）によってカップ部２１を肌側の方の生地４１ａに縫着する。その後、二重の伸縮性生地４１の上端において、肌側の方の生地４１ａの端部と外側の方の生地４１ｂの端部とをテープ始末（パイピング）によって結合することにより、首刳り、袖刳り、及び肩ストラップ部４を形成する。以上により、二重の伸縮性生地４１で構成されたバスト部２と、一重の伸縮性生地４２で構成された胴部３とを備えたカップ部付き上半身衣類１が得られる。
【００３６】
以上説明したように、カップ部付き上半身衣類１では、バスト部２が二重の伸縮性生地４１によって構成され、カップ部２１は、二重の伸縮性生地４１の間に配置されている。したがって、着用者の肌には、二重の伸縮性生地４１における肌側の方の生地４１ａを介してカップ部２１が宛がわれるので、カップ部２１の形状の凹凸が緩和され、バスト部２の肌触りの良さが高められる。
【００３７】
また、カップ部付き上半身衣類１では、このカップ部２１の前中心側が縫着部Ｌ１によって二重の伸縮性生地４１における肌側の方の生地４１ａに対して結合されている。動きの比較的少ない前中心側でカップ部２１を肌側の方の生地４１ａに対して結合することで、締め付けを強めることなく二重の伸縮性生地４１の内部におけるカップ部２１の安定性が高められる。さらに、カップ部付き上半身衣類１では、相対的に伸縮パワーが高く且つ伸度が低い二重の伸縮性生地４１が背部上部１２をも構成しているので、着用時に背部上部１２からの引っ張り力が胸部１１に作用し、カップ部２１による着用者のバストの保持機能も十分に確保できる。
【００３８】
また、カップ部付き上半身衣類１では、胸部１１及び背部上部１２に繋がるようにバスト部２の下側に設けられた胴部３が更に設けられ、胴部３は、一重の伸縮性生地４２によって構成されている。この構成によれば、相対的に伸縮パワーが低く且つ伸度が高い一重の伸縮性生地４２で胴部３が構成されるので、着用者の胴回りの動き易さを確保できる。
【００３９】
また、カップ部付き上半身衣類１では、二重の伸縮性生地４１と一重の伸縮性生地４２との境界ラインＬは、衣類の横方向に沿って一直線状をなしている。そして、二重の伸縮性生地４１内のカップ部２１の下縁部２１ａの少なくとも一部は、境界ラインＬに沿った一直線状をなしている。二重の伸縮性生地４１と一重の伸縮性生地４２との境界ラインＬにカップ部２１の下縁部２１ａにおける一直線状の部分を沿わせることで、カップ部２１の安定性の更なる向上が図られる。
【００４０】
また、カップ部付き上半身衣類１では、二重の伸縮性生地４１によって構成された左右一対の肩ストラップ部４がバスト部２の上側に設けられている。そして、カップ部２１は、二重の伸縮性生地４１における外側の方の生地４１ｂに対して非結合となっている。この場合、二重の伸縮性生地４１においてカップ部２１に対して非結合となっている外側の方の生地４１ｂが、着用時に肩ストラップ部４からの引っ張り力を受けてカップ部２１を支えるように作用する。したがって、カップ部２１による着用者のバストの保持機能を一層十分に確保できる。
【００４１】
また、カップ部付き上半身衣類１では、カップ部２１の脇側の一部が、縫着部Ｗ２によって二重の伸縮性生地４１における肌側の方の生地４１ａに対して結合されている。これにより二重の伸縮性生地４１の内部におけるカップ部２１の安定性が一層高められる。
【００４２】
本発明は、上記実施形態に限られるものではない。例えば上記実施形態では、前中心側の縫着部Ｗ１と脇側の縫着部Ｗ２とによってカップ部２１が肌側の方の生地４１ａに縫着されているが、縫着部Ｗ２を設けず、縫着部Ｗ１のみによってカップ部２１が肌側の方の生地４１ａに縫着されていてもよい。
【００４３】
このような構成であっても、動きの比較的少ない前中心側でカップ部２１が肌側の方の生地４１ａに対して結合されるので、締め付けを強めることなく二重の伸縮性生地４１の内部におけるカップ部２１の安定性が高められる。また、縫着部Ｗ２を設けないことで、縫製の手間を省くことができる。
【００４４】
また、二重の伸縮性生地４１の内部に配置するカップ部の形状についても、種々の変形を採用し得る。例えば上記実施形態では、カップ２２，２２と土台部２３とを一体成型し、カップ部２１の下縁部２１ａの一部を一直線状としているが、カップ部２１の下縁部２１ａの全体が一直線状であってもよく、カップ部２１の下縁部２１ａの全体がカップ２２の下縁部２２ｂの形状に応じた緩やかな湾曲形状であってもよい。
【００４５】
また、右側のカップと右側の土台部とを一体に形成したパーツと、及び左側のカップと左側の土台部とを一体に形成したパーツとを用意し、左右のパーツを前中心側で接合したカップ部を用いてもよい。カップと土台部とは、互いに異なる素材を用いてもよい。
【００４６】
また、カップ部は、必ずしも土台部を有していなくてもよく、左右のカップのみでカップ部を構成していてもよい。この場合、左右のカップを一体成型してもよく、左右のカップをそれぞれ成型してもよい。左右のカップが別体である場合、テープ等の別部材を用いて左右のカップを前中心側で連結してもよい。カップは、成型のほか、接ぎやダーツなどによって構成してもよい。左右のカップ同士が分離している場合、それぞれのカップの前中心側を肌側の方の生地４１ａに対して結合すればよい。
【００４７】
さらに、上記実施形態では、肩ストラップ部４を二重の伸縮性生地４１によってバスト部２と一体に構成しているが、肩ストラップ部の構成はこれに限られない。例えば二重の伸縮性生地によって肩ストラップ部を構成するのではなく、首刳りの端始末であるパイピングと、袖刳りの端始末であるパイピングとを結合して肩ストラップ部を構成してもよい。また、首刳りの端始末であるパイピングや、袖刳りの端始末であるパイピングに別のテープ部材を結合して肩ストラップ部を構成してもよい。
【００４８】
衣類背面側において、肩ストラップ部４の接続先であるバスト部２の上縁部２ｂは、横方向（水平方向）に一直線状としてもよい。肩ストラップ部４は、必ずしも設けなくともよい。また、カップ部付き上半身衣類１の製造にあたっては、図４（ａ）〜（ｃ）に示した方法に限られず、バスト部２の形状に裁断された部分と胴部３とを有する一重の伸縮性生地４２に、バスト部２の形状に裁断された別の一重の伸縮性生地を結合して二重の伸縮性生地４１を構成してもよい。
【００４９】
このほか、一重の伸縮性生地４２を上方側で肌側に折り返し、一重の伸縮性生地４２の折り返し部分の先端を境界ラインＬの位置で一重の伸縮性生地４２に結合して二重の伸縮性生地４１を構成してもよい。この場合、境界ラインＬにおける一重の伸縮性生地４２の折り返し部分の先端と一重の伸縮性生地４２とをニットインし、一体編み構造とすることが好適である。
【００５０】
ニットインとは、本体の編地と結合させる場合に、表面に縫い糸が目立たぬように縫う処理を編み糸を用いて行なうものであり、「すくい縫い」のように編地をすくいながら留め合わせる方法である。このような編み構造を採用することで、肌側の方の生地４１ａと外側の方の生地４１ｂとの間に結合の融通性を持たせることができる。このため、着用者に対するカップ部２１の追従性が求められる肌側の方の生地４１ａと、アウターウェアに対する追従性が求められる外側の方の生地４１ｂとを、それぞれ着用者の動作に対して良好に追従させることが可能となる。また、ニットインでは、境界ラインＬに沿って隙間を形成することもできるため、カップ部２１が配置される二重の伸縮性生地４１内の通気性を高めることも可能となる。
【００５１】
さらに、一重の伸縮性生地４２の折り返し部分の先端周辺において、境界ラインＬ（ニットイン部分）の手前側（上方側）をリブ編み等の編み構造に変更してもよい。また、二重の伸縮性生地４１全体をリブ編み等の編み構造に変更してもよい。これらの場合、リブ編み等によって当該部分の伸長回復性が高められる。これにより、二重の伸縮性生地４１内に配置されるカップ部２１の安定性を高めることができる。また、バスト部２の下部或いはバスト部２全体の耐久性を向上できる。
【００５２】
また、上記実施形態では、カップ部付き上半身衣類としてカップ付きキャミソールを例示したが、本発明を適用するカップ部付き上半身衣類としては、カップ付きキャミソールの他に、カップ付きタンクトップ、カップ付きハーフトップなどが挙げられる。
【符号の説明】
【００５３】
１…カップ部付き上半身衣類、２…バスト部、３…胴部、４…肩ストラップ部、１１…胸部、１２…背部上部、２１…カップ部、２１ａ…下縁部、４１…二重の伸縮性生地、４１ａ…肌側の方の生地、４１ｂ…外側の方の生地、４２…一重の伸縮性生地、Ｌ…境界ライン。
【図１】
2017186717.tif 000003
【図２】
2017186717.tif 000004
【図３】
2017186717.tif 000005
【図４】
2017186717.tif 000006